(57)【要約】【課題】  １型で多種サイズのユニットバスに対応することができ、壁パネルを正確な位置に配置することができる浴槽、およびユニットバスの組立方法を提供することを目的とする。  【解決手段】  本発明では、洗い場側を除くフランジ部に設けられ、壁パネルが載置される壁載置部と、前記壁載置部が切り落とされた場合に、前記壁パネルの載置位置の基準となるピース部材を正確な位置に取り付けるための位置決め手段とを備え、前記位置決め手段は、前記フランジ部の下面に成型時に形成されたものであることを特徴とする浴槽を提供する。【選択図】  図６
2010188043.tif 000002
【特許請求の範囲】
【請求項１】
洗い場側を除くフランジ部に設けられ、壁パネルが載置される壁載置部と、
前記壁載置部が切り落とされた場合に、前記壁パネルの載置位置の基準となるピース部材を正確な位置に取り付けるための位置決め手段とを備え、
前記位置決め手段は、前記フランジ部の下面に成型時に形成されたものである
ことを特徴とする浴槽。
【請求項２】
洗い場側を除くフランジ部の少なくとも一側面に切断面が形成された浴槽本体と、
前記浴槽本体の前記切断面側に取り付けられ、壁パネルの載置位置の基準となるピース部材とを備え、
前記浴槽本体の前記フランジ部の下面には、前記ピース部材を正確な位置に取り付けるために、前記浴槽本体の成形時に形成された位置決め手段が設けられている
ことを特徴とする浴槽。
【請求項３】
前記ピース部材は、上方に突出した側壁部を外周端に有し、
且つ、前記浴槽本体に対して水密的に取り付けられている
ことを特徴とする請求項２に記載の浴槽。
【請求項４】
洗い場側を除くフランジ部の少なくとも一側面に切断面が形成された浴槽本体に対して、
前記浴槽本体の成形時に前記フランジ部の下面に予め形成された位置決め手段を基準として、壁パネルの載置位置の基準となるピース部材を取り付け固定する
ことを特徴とするユニットバスの組立方法。
【発明の詳細な説明】
【技術分野】
【０００１】
本発明の態様は、一般的に、ユニットバスに用いられる浴槽、およびユニットバスの組立方法に関する。
【背景技術】
【０００２】
特許文献１に記載された洗い場付き浴槽では、浴槽の外周に立上片が一体形成されており、この立上片の内周には、壁パネルが建て付けられる壁載置面が形成されている。
【０００３】
しかしながら、特許文献１に記載された洗い場付き浴槽では、ユニットバスの大きさに応じて、種々の大きさの浴槽を用意しなければならないという問題がある。種々の大きさの浴槽を用意するためには、その種類の数とほとんど同数の型を用意する必要があるため、コストがかかるという問題がある。
【０００４】
一方、浴槽の種類を少なくすると、ユニットバスの施工空間の大きさに柔軟に対応する事が困難となるおそれがある。つまり、ユニットバスの施工空間に対して余裕があるにもかかわらず、より大きな浴槽を施工空間に入れることができないため、それよりも小さい浴槽を使用しなければならないという問題がある。浴槽が小さいと必然と浴室空間も狭くなるため、多種のサイズの浴槽を用意できることが好ましい。
【０００５】
そこで、浴槽のフランジ部をカットすることで、１型で多種サイズのユニットバスに対応可能となる浴室用浴槽を提供することが考えられる。しかしながら浴槽は一般的に、硬質な材料で形成されており、サイズも大きいため、寸法誤差がないようにカットすることは困難である。そのため、浴槽のカットした部分を基準として壁パネルの載置位置の基準となる位置決め具となる壁ガイドピースを取り付けると、浴室の壁パネルを正確な位置に取り付ける事が出来ないおそれがある。その位置決め具を浴槽のフランジ部の正確な位置に取り付けることができないと、浴室の壁パネルも正確な位置に取り付けることができないこととなり、ユニットバス自体が歪んだり、隙間が発生してユニットバスの気密性や水密性が低下する為好ましくない。
【先行技術文献】
【特許文献】
【０００６】
【特許文献１】特開２００５−２７８６１号公報
【発明の概要】
【発明が解決しようとする課題】
【０００７】
本発明の態様は、かかる課題の認識に基づきなされたものであり、１型で多種サイズのユニットバスに対応することができ、壁パネルを正確な位置に配置する事ができる浴槽、およびユニットバス組立方法を提供する。
【課題を解決するための手段】
【０００８】
本発明の一態様によれば、
洗い場側を除くフランジ部に設けられ、壁パネルが載置される壁載置部と、
前記壁載置部が切り落とされた場合に、前記壁パネルの載置位置の基準となるピース部材を正確な位置に取り付けるための位置決め手段とを備え、
前記位置決め手段は、前記フランジ部の下面に成型時に形成されたものである
ことを特徴とする浴槽が提供される。
【０００９】
または、本発明の一態様によれば、洗い場側を除くフランジ部の少なくとも一側面に切断面が形成された浴槽本体と、
前記浴槽本体の前記切断面側に取り付けられ、壁パネルの載置位置の基準となるピース部材とを備え、
前記浴槽本体の前記フランジ部の下面には、前記ピース部材を正確な位置に取り付けるために、前記浴槽本体の成形時に形成された位置決め手段が設けられている
ことを特徴とする浴槽が提供される。
【００１０】
または、本発明の一態様によれば、洗い場側を除くフランジ部の少なくとも一側面に切断面が形成された浴槽本体に対して、
前記浴槽本体の成形時に前記フランジ部の下面に予め形成された位置決め手段を基準として、壁パネルの載置位置の基準となるピース部材を取り付け固定する
ことを特徴とするユニットバスの組立方法が提供される。
【発明の効果】
【００１１】
本発明の態様によれば、１型で多種サイズのユニットバスに対応することができ、壁パネルを正確な位置に配置することができる浴槽、およびユニットバスの組立方法が提供される。
【図面の簡単な説明】
【００１２】
【図１】本発明にかかるユニットバスを示す斜視模式図。
【図２】本発明にかかる浴槽のフランジ部が切断される前の状態を表す断面模式図。
【図３】本発明にかかる浴槽のフランジ部が切断される前の状態を表す拡大斜視模式図。
【図４】切断後の浴槽を表す模式断面図。
【図５】切断後の浴槽を表す拡大斜視模式図。
【図６】壁ガイドピース部材が取り付けられた浴槽を表す模式断面図。
【図７】壁ガイドピース部材が取り付けられた浴槽を表す拡大斜視模式図。
【発明を実施するための形態】
【００１３】
以下、本発明の実施の形態について図面を参照しつつ説明する。なお、各図面中、同様の構成要素には同一の符号を付して詳細な説明は適宜省略する。  
図１は、本発明にかかるユニットバスを示す斜視模式図である。  
また、図２は、本発明にかかる浴槽のフランジ部が切断される前の状態を表す断面模式図であり、図１に表したＡ−Ａ断面図に相当する。また、図３は、本発明にかかる浴槽のフランジ部が切断される前の状態を表す拡大斜視模式図である。
【００１４】
本実施形態におけるユニットバスは、図１に表したように洗い場床パン１と、洗い場床パン１に隣接して設置された浴槽２とが、それぞれ建築床面上に設置される金属架台（図示しない）の上に載置されている。
【００１５】
洗い場床パン１における浴槽２との隣接辺を除く３辺の外周端には、立ちあがり形成された側壁が形成されており、壁パネル３は側壁を基準にして載置位置が決められる。洗い場床パン１と浴槽２との隣接辺の間にはバスエプロンが水密的に取り付けられており、壁パネル３の上端には天井パネルが水密的に設置されることで、水密的且つ気密的なユニットバス空間が形成される。
【００１６】
浴槽２は、浴槽水を溜水する内槽部２１と、内槽部２１の上端全周から、略水平状に外方側へ向かって延出形成されたフランジ部２２と、フランジ部２２における洗い場床パン１と隣接する辺を除く３辺の外周端において上方に立ちあがり形成された側壁部２３とを備える。浴槽２の側壁部２３を基準にして壁パネル３を載置することにより、壁パネル３を正確な位置に設置することが可能となる。本実施形態では、フランジ部２２の上面における壁パネル３が設置される部分と、側壁部２３とを壁載置部２５と定義する。
【００１７】
また、本実施形態における浴槽２におけるフランジ部２２の裏面の所定位置には、下方へ向かって垂下形成されたリブ状の位置決め手段２７が成形時に形成されている。詳細は後述するが、この位置決め手段２７を基準に浴槽２とは別体で形成された壁ガイドピース４が位置決め固定される。
【００１８】
壁パネル３の外側には、建物壁が存在する。つまり、ユニットバスは、建物床や建物壁などにより画設された施工空間の中に設けられている。そのため、洗い場床パン１や浴槽２は、ユニットバスの施工空間の中に入るような大きさを有する必要がある。言い換えれば、ユニットバスの施工空間に入れることができないほど大きい洗い場床パン１や浴槽２を使用することはできない。
【００１９】
ユニットバスの施工空間の大きさは、家屋によりさまざまである。そのため、ユニットバスの施工空間の大きさに柔軟に対応するためには、種々の大きさの浴槽２を用意しなければならない。しかしながら、種々の大きさの浴槽２を用意するためには、その種類の数とほとんど同数の型を用意する必要がある。そうすると、浴槽２の製造コストがかかり、多くの種類の型を管理することも容易ではない。
【００２０】
一方、浴槽２の種類を少なくすると、ユニットバスの施工空間の大きさに柔軟に対応することが困難となる。つまり、壁パネル３や浴槽２と建物壁との間の空間が広く空いている場合に、それよりも大きい浴槽２を使用すると、ユニットバスの施工空間に浴槽２を入れることができなくなる。そのため、壁パネルや浴槽と建物壁との間の空間が広く空いているにもかかわらず、より小さな浴槽２を使用せざるを得ない場合がある。ユニットバスは、その空間が広い方が好ましい。
【００２１】
そこで、本実施形態では、浴槽２を切断することにより、１型で多種サイズのユニットバスに対応することを可能とした。つまり、ユニットバスの施工空間に大きさに応じて浴槽２のフランジ部２２を切断することにより、その施工空間の大きさにより適した浴槽２を提供することができる。これによれば、ユニットバスの施工空間に大きさに応じて、より広い浴槽２などを有するユニットバスを提供することができる。また、浴槽２の型の種類を減らすにも関わらず、サイズバリエーションを増やすことができるため、製造コストを抑えることもできる。
【００２２】
ここで、浴槽２のフランジ部２２を切断すると、壁パネル３の位置決め部として機能する壁載置部２５も切り落とされてしまう。そのため、壁パネル３の少なくともいずれかを浴槽２に対して正確な位置に設置できないおそれがある。壁パネル３の少なくともいずれかを浴槽２に対して正確な位置に設置できないと、壁パネル３が歪んだり、隙間が発生して気密性や水密性を低下させるおそれがあるため好ましくない。
【００２３】
これに対して、本実施形態では、浴槽２を切断することにより壁載置部２５が切り落とされた後であっても、壁載置部２５の代替として機能する壁ガイドピース部材４を浴槽に取り付けることができる。さらに、浴槽２には、図２に表したように、壁ガイドピース部材４を正確な位置に取り付けるための位置決め部２７（位置決め手段）が設けられている。その結果、本実施形態では、浴槽２を切断することにより壁載置部２５が切り落とされた後であっても、壁パネル３を浴槽２に対して正確な位置に設置することができる。以下、さらに詳細な説明について、図面を参照しつつ説明する。
【００２４】
図４は、切断後の浴槽２を表す模式断面図であり、図５は、その拡大斜視模式図である。また、図６は、壁ガイドピース部材４が取り付けられた浴槽２を表す模式断面図であり、図７は、その拡大斜視模式図である。  
【００２５】
浴槽２が切断面（図２の破線）において切断されると、図４および図５に表したように、壁載置部２５が切り落とされる。そのため、この状態のままでは、壁パネル３の少なくともいずれかを浴槽２に対して正確な位置に設置できないおそれがある。
【００２６】
そこで、本実施形態では、図６に表したように、壁載置部２５の代替として機能する壁ガイドピース部材４を浴槽に取り付けることができる。ここで、浴槽２は、一般的に、ＦＲＰ（Fiber Reinforced Plastic）等の熱硬化性樹脂、あるいは人工大理石などの硬質な材料で形成されており、そのサイズは大きい。そのため、寸法誤差がないように浴槽２を切断することは困難であり、またその切断面の表面は粗い。そのため、切断面を基準として壁ガイドピース部材４を取り付けると、浴槽２に対して正確な位置に壁ガイドピース部材４を取り付けることができないおそれがある。
【００２７】
壁ガイドピース部材４は、図６に表したように、浴槽２におけるフランジ部２２の裏面において下方に垂下形成された位置決め手段２７に当接されることにより、浴槽２に対して正確な位置に取り付けられる。
【００２８】
つまり、位置決め手段２７は、切断面に対応した位置に成形時に予め形成されており、その位置決め手段２７に壁ガイドピース部材４を当接させる、すなわち位置決め手段２７を基準として壁ガイドピース部材４を取り付けることにより、切断面に対応した正確な位置に壁ガイドピース部材４を取り付けることができる。そして、図示しない固定部材を締め付けることにより、壁ガイドピース部材４を位置決め手段２７に固定することができる。
【００２９】
このとき、切断面と壁ガイドピース部材４との間には、間隙Ｉが存在する。つまり、壁ガイドピース部材４は、切断面には接触していない（クリアランスが形成されている）。そのため、壁ガイドピース部材４は、切断面の寸法誤差や表面状態などに影響を受けることなく、浴槽２に対して正確な位置に取り付けられる。
【００３０】
また、壁ガイドピース部材４は、壁載置部２５と同様に、外周端に上方に立ち上がり形成された側壁部４１を有している。そのため、壁パネル３は、壁ガイドピース部材４の側壁部４１に当接されることにより、浴槽２に対する位置が決められる。このとき、壁ガイドピース部材４は、切断面に対応した正確な位置に取り付けられている。その結果、壁パネル３を浴槽２に対して正確な位置に設置することができる。
【００３１】
また、間隙Ｉには、例えばシリコンなどの接着剤が適宜充填され、壁ガイドピース部材４と浴槽２とは液密に接着されており、壁ガイドピース４が、水返しとしての役割も果たすようになっている。さらに、壁パネル３の下端と浴槽２のフランジ部２２上は、シリコンなどの接着剤が適宜充填されており、壁パネル３と浴槽２とは液密に接着されている。
【符号の説明】
【００３２】
１・・・洗い場床パン、２・・・浴槽、２１・・・内槽部、２２・・・フランジ部、２３・・・側壁部、２５・・・壁載置部、２７・・・位置決め部、３・・・壁パネル、４・・・壁ガイドピース、
【図１】
2010188043.tif 000003
【図２】
2010188043.tif 000004
【図３】
2010188043.tif 000005
【図４】
2010188043.tif 000006
【図５】
2010188043.tif 000007
【図６】
2010188043.tif 000008
【図７】
2010188043.tif 000009